(57)【要約】【課題】  放電容量を容易に変更することができる蓄電装置及び当該蓄電装置を構成するマイクロバッテリを提供する。【解決手段】  共通の電力線３０を介して電気的に接続されることで１つの蓄電装置１Ｘを構成するマイクロバッテリ１０Ｘは、バッテリモジュール１１と、電力変換器１２と、他のマイクロバッテリ１０Ｘまたは基台の被接続部に対して接続自在である接続部と、を備える。マイクロバッテリ１０Ｘは、接続部を他のマイクロバッテリ１０Ｘが備える被接続部に接続する、または、複数のマイクロバッテリが備える接続部のそれぞれを基台が備える複数の被接続部のそれぞれに接続することで、電力線３０を介して複数のマイクロバッテリ１０Ｘが相互に電気的に接続された状態になる。【選択図】  図１
2017195666.tif 000002
【特許請求の範囲】
【請求項１】
共通の電力線を介して電気的に接続されることで１つの蓄電装置を構成するマイクロバッテリであって、
直流電力を充電及び放電するバッテリモジュールと、
前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、
他の前記マイクロバッテリまたは基台の被接続部に対して接続自在である接続部と、を備え、
前記接続部を他の前記マイクロバッテリが備える前記被接続部に接続する、または、複数の前記マイクロバッテリが備える前記接続部のそれぞれを前記基台が備える複数の前記被接続部のそれぞれに接続することで、前記電力線を介して複数の前記マイクロバッテリが相互に電気的に接続された状態になることを特徴とするマイクロバッテリ。
【請求項２】
前記接続部である第１接続部を備えており、
前記被接続部である第１被接続部と、前記電力線の一部を成すとともに前記電力変換器が電気的に接続されている部分電力線と、をさらに備え、
前記部分電力線は、前記第１接続部及び前記第１被接続部のそれぞれと電気的に接続されていることを特徴とする請求項１に記載のマイクロバッテリ。
【請求項３】
前記接続部である第２接続部を備えており、
前記第２接続部は、前記電力変換器と電気的に接続されているとともに、前記基台が備える前記被接続部であって前記電力線と電気的に接続されている第２被接続部に対して接続自在であることを特徴とする請求項１に記載のマイクロバッテリ。
【請求項４】
前記バッテリモジュールが前記電力変換器から着脱自在であることを特徴とする請求項１〜３のいずれか１項に記載のマイクロバッテリ。
【請求項５】
前記バッテリモジュールと一体になるように設けられ、前記バッテリモジュールと電気的に接続されている第３接続部と、
前記電力変換器と一体になるように設けられ、前記電力変換器と電気的に接続されているとともに、前記第３接続部が接続自在である第３被接続部と、
前記バッテリモジュール及び前記電力変換器を分離した場合に前記第３接続部を遮蔽する遮蔽部と、をさらに備えることを特徴とする請求項４に記載のマイクロバッテリ。
【請求項６】
前記電力線の電力または前記電力変換器が出力する電力を外部に取り出すための電力取得部を、さらに備えることを特徴とする請求項１〜５のいずれか１項に記載のマイクロバッテリ。
【請求項７】
少なくとも１つの光発電素子を有し、当該光発電素子の発電によって得られた直流電力を前記バッテリモジュールに充電する光発電部を、さらに備えることを特徴とする請求項１〜６のいずれか１項に記載のマイクロバッテリ。
【請求項８】
前記バッテリモジュールに充電されている残容量を表示する表示部を、さらに備えることを特徴とする請求項１〜７のいずれか１項に記載のマイクロバッテリ。
【請求項９】
共通の電力線を介して電気的に接続される複数のマイクロバッテリを備える蓄電装置であって、
前記マイクロバッテリのそれぞれが、
直流電力を充電及び放電するバッテリモジュールと、
前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、
前記電力線の一部を成し、前記電力変換器が電気的に接続されている部分電力線と、
前記部分電力線と電気的に接続されている第１被接続部と、
前記部分電力線と電気的に接続されているとともに、他の前記マイクロバッテリが備える前記第１被接続部に対して接続自在である第１接続部と、を備え、
ある前記マイクロバッテリが備える前記第１接続部を、他の前記マイクロバッテリが備える前記第１被接続部に対して接続することで、前記電力線を介してこれらの前記マイクロバッテリが相互に電気的に接続された状態になることを特徴とする蓄電装置。
【請求項１０】
共通の電力線を介して電気的に接続される複数のマイクロバッテリを備える蓄電装置であって、
前記電力線と、当該電力線と電気的に接続されている複数の第２被接続部と、を備える基台を備えており、
前記マイクロバッテリのそれぞれが、
直流電力を充電及び放電するバッテリモジュールと、
前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、
前記基台が備える前記第２被接続部に対して接続自在である第２接続部と、を備え、
複数の前記マイクロバッテリが備える前記第２接続部のそれぞれを前記基台が備える複数の前記第２被接続部のそれぞれに接続することで、前記電力線を介して複数の前記マイクロバッテリが相互に電気的に接続された状態になることを特徴とする蓄電装置。
【請求項１１】
前記基台が、内部に複数の前記バッテリモジュールを収容する箱型の筐体であり、
前記マイクロバッテリを、前記筐体の内部の所定の収容位置に配置すると、前記第２接続部が前記第２被接続部に対して接続された状態になることを特徴とする請求項１０に記載の蓄電装置。
【請求項１２】
前記マイクロバッテリが、前記電力線の電力または前記電力変換器が出力する電力を外部に取り出すための電力取得部を備えており、
前記筐体に、前記収容位置に配置された前記マイクロバッテリが備える前記電力取得部を露出する開口部が設けられていることを特徴とする請求項１１に記載の蓄電装置。
【発明の詳細な説明】
【技術分野】
【０００１】
本発明は、直流電力を充電及び放電するバッテリモジュールを有するマイクロバッテリと、当該マイクロバッテリを備えた蓄電装置に関する。
【背景技術】
【０００２】
近年、多種多様な電気機器が普及した結果、様々な場所及び場面において電力が必要とされるようになり、商用電力系統から独立して電力を供給可能な電源装置が必要とされている。
【０００３】
例えば、特許文献１では、太陽電池セルと蓄電池を備えたトランク型の可搬型太陽光発電装置が提案されている。この可搬型太陽光発電装置は、蓄電池に充電した電力だけでなく、太陽電池セルによって発電した電力も供給することによって、負荷を大きくする（消費電力量の大きい電気機器を使用する）ことを可能にするものである。
【先行技術文献】
【特許文献】
【０００４】
【特許文献１】特開２００２−２３８１８３号公報
【発明の概要】
【発明が解決しようとする課題】
【０００５】
しかしながら、特許文献１で提案されている可搬型太陽光発電装置は、供給可能な電力量が日射量に応じて変動してしまうため、天気によっては必要とされる電力量を供給することができなくなるという問題がある。
【０００６】
この点、特許文献１で提案されている可搬型太陽光発電装置であっても、可能な限り放電容量が大きい大型の蓄電池を搭載すれば、供給可能な電力量を増大させることができる。しかし、この場合、大型の蓄電池を搭載することによって当該装置が無用に大型化する。そのため、当該装置の運搬や移動が困難になるとともに、当該装置を設置するスペースの確保も困難になってしまう。
【０００７】
また、特許文献１で提案されている可搬型太陽光発電装置であっても、必要に応じて蓄電池を交換して放電容量を変更すれば、当該装置の過度な大型化を招来することなく、所望の電力量を供給することができる。しかし、当該装置において蓄電池を交換するためには、当該装置の分解及び組立という危険かつ煩雑な作業が必要になるから、現実的には不可能である。
【０００８】
そこで、本発明は、放電容量を容易に変更することができる蓄電装置及び当該蓄電装置を構成するマイクロバッテリを提供することを目的とする。
【課題を解決するための手段】
【０００９】
上記目的を達成するため、本発明は、共通の電力線を介して電気的に接続されることで１つの蓄電装置を構成するマイクロバッテリであって、直流電力を充電及び放電するバッテリモジュールと、前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、他の前記マイクロバッテリまたは基台の被接続部に対して接続自在である接続部と、を備え、前記接続部を他の前記マイクロバッテリが備える前記被接続部に接続する、または、複数の前記マイクロバッテリが備える前記接続部のそれぞれを前記基台が備える複数の前記被接続部のそれぞれに接続することで、前記電力線を介して複数の前記マイクロバッテリが相互に電気的に接続された状態になることを特徴とするマイクロバッテリを提供する。
【００１０】
このマイクロバッテリによれば、マイクロバッテリが備える接続部を、他のマイクロバッテリまたは基台が備える被接続部に接続するのみで、共通の電力線を介して複数のマイクロバッテリが電気的に接続された１つの蓄電装置を得ることができる。そのため、接続するマイクロバッテリの数を増減させることで、蓄電装置に含まれるバッテリモジュールの数を容易に増減させることができる。したがって、蓄電装置の放電容量を容易に増減させることができる。
【００１１】
さらに、このマイクロバッテリを接続して得られる蓄電装置では、バッテリモジュール及び電力変換器の両方を含むマイクロバッテリの数を増減させることで、蓄電装置の放電容量及び電力変換容量を共に増減させて両者が適合した状態を維持することができる。
【００１２】
また、このマイクロバッテリを接続して得られる蓄電装置は、例えば１つのバッテリモジュールが劣化や故障等で使用不能になったとしても、当該バッテリモジュールを備えるマイクロバッテリを分離または交換するだけで、通常通りの動作が可能になる。したがって、このマイクロバッテリを接続して得られる蓄電装置は、メンテナンスが容易であるとともに迅速に復旧させることが可能である。
【００１３】
また、上記のマイクロバッテリにおいて、前記接続部である第１接続部を備えており、前記被接続部である第１被接続部と、前記電力線の一部を成すとともに前記電力変換器が電気的に接続されている部分電力線と、をさらに備え、前記部分電力線は、前記第１接続部及び前記第１被接続部のそれぞれと電気的に接続されているようにしてもよい。
【００１４】
このマイクロバッテリでは、あるマイクロバッテリが備える第１接続部を、他のマイクロバッテリが備える第１被接続部に接続するのみで、共通の電力線を介して複数のマイクロバッテリが電気的に接続された１つの蓄電装置を得ることができる。
【００１５】
また、上記のマイクロバッテリにおいて、前記接続部である第２接続部を備えており、前記第２接続部は、前記電力変換器と電気的に接続されているとともに、前記基台が備える前記被接続部であって前記電力線と電気的に接続されている第２被接続部に対して接続自在であるようにしてもよい。
【００１６】
このマイクロバッテリでは、複数のマイクロバッテリが備える第２接続部のそれぞれを、基台が備える複数の第２被接続部のそれぞれに接続するのみで、共通の電力線を介して複数のマイクロバッテリが電気的に接続された１つの蓄電装置を得ることができる。
【００１７】
また、上記のマイクロバッテリにおいて、前記バッテリモジュールが前記電力変換器から着脱自在であると、好ましい。
【００１８】
このマイクロバッテリでは、電動二輪車などの直流電力を消費する電気機器に搭載されて利用されるバッテリモジュールを蓄電装置に利用することができるとともに、蓄電装置が備えるバッテリモジュールを当該電気機器に搭載して利用することができる。したがって、バッテリモジュールの利用率を向上させることができる。
【００１９】
なお、このマイクロバッテリを接続して得られる蓄電装置では、電力変換器が、バッテリモジュールが充放電する電力と電力線に入出力する電力の変換（例えば、直流電力と交流電力の変換、直流電力の電圧の変換など）を行うため、電力線における電力の状態にかかわらず、電気機器での使用に適したバッテリモジュールをマイクロバッテリに使用することができる。
【００２０】
また、上記のマイクロバッテリにおいて、前記バッテリモジュールと一体になるように設けられ、前記バッテリモジュールと電気的に接続されている第３接続部と、前記電力変換器と一体になるように設けられ、前記電力変換器と電気的に接続されているとともに、前記第３接続部が接続自在である第３被接続部と、前記バッテリモジュール及び前記電力変換器を分離した場合に前記第３接続部を遮蔽する遮蔽部と、をさらに備えると、好ましい。
【００２１】
このマイクロバッテリでは、バッテリモジュールと電気的に接続されているために直流電力の放電の可能性がある第３接続部を、露出した状態にすることなく遮蔽部で遮蔽することができる。したがって、マイクロバッテリの安全性を高めることができる。
【００２２】
また、上記のマイクロバッテリにおいて、前記電力線の電力または前記電力変換器が出力する電力を外部に取り出すための電力取得部を、さらに備えると、好ましい。
【００２３】
このマイクロバッテリでは、蓄電装置を構成していない独立した状態のマイクロバッテリであっても、電気機器に電力を供給することができる。
【００２４】
また、上記のマイクロバッテリにおいて、少なくとも１つの光発電素子を有し、当該光発電素子の発電によって得られた直流電力を前記バッテリモジュールに充電する光発電部を、さらに備えてもよい。
【００２５】
このマイクロバッテリでは、屋外等の商用電力系統が存在しない場所であっても、バッテリモジュールを充電することができる。
【００２６】
また、上記のマイクロバッテリにおいて、前記バッテリモジュールに充電されている残容量を表示する表示部を、さらに備えると、好ましい。
【００２７】
このマイクロバッテリでは、残容量が多いマイクロバッテリを選択して蓄電装置から離脱させて別の用途で使用したり、残容量が少ないマイクロバッテリを蓄電装置に組み入れて充電したりするなど、状況に応じた柔軟な使用が可能になる。
【００２８】
また、本発明は、共通の電力線を介して電気的に接続される複数のマイクロバッテリを備える蓄電装置であって、前記マイクロバッテリのそれぞれが、直流電力を充電及び放電するバッテリモジュールと、前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、前記電力線の一部を成し、前記電力変換器が電気的に接続されている部分電力線と、前記部分電力線と電気的に接続されている第１被接続部と、前記部分電力線と電気的に接続されているとともに、他の前記マイクロバッテリが備える前記第１被接続部に対して接続自在である第１接続部と、を備え、ある前記マイクロバッテリが備える前記第１接続部を、他の前記マイクロバッテリが備える前記第１被接続部に対して接続することで、前記電力線を介してこれらの前記マイクロバッテリが相互に電気的に接続された状態になることを特徴とする蓄電装置を提供する。
【００２９】
また、本発明は、共通の電力線を介して電気的に接続される複数のマイクロバッテリを備える蓄電装置であって、前記電力線と、当該電力線と電気的に接続されている複数の第２被接続部と、を備える基台を備えており、前記マイクロバッテリのそれぞれが、直流電力を充電及び放電するバッテリモジュールと、前記バッテリモジュールが放電する直流電力を交流電力または当該直流電力とは異なる直流電力に変換して前記電力線に出力するとともに、前記電力線から入力される電力を当該バッテリモジュールが充電する直流電力に変換する電力変換器と、前記基台が備える前記第２被接続部に対して接続自在である第２接続部と、を備え、複数の前記マイクロバッテリが備える前記第２接続部のそれぞれを前記基台が備える複数の前記第２被接続部のそれぞれに接続することで、前記電力線を介して複数の前記マイクロバッテリが相互に電気的に接続された状態になることを特徴とする蓄電装置を提供する。
【００３０】
さらに、この蓄電装置において、前記基台が、内部に複数の前記バッテリモジュールを収容する箱型の筐体であり、前記マイクロバッテリを、前記筐体の内部の所定の収容位置に配置すると、前記第２接続部が前記第２被接続部に対して接続された状態になると、好ましい。
【００３１】
この蓄電装置では、筐体の内部にマイクロバッテリを収容することで、蓄電装置からマイクロバッテリが意図せず脱落することを抑制することができる。そのため、蓄電装置の動作の安定性及び安全性を高めることが可能になる。
【００３２】
さらに、この蓄電装置において、前記マイクロバッテリが、前記電力線の電力または前記電力変換器が出力する電力を外部に取り出すための電力取得部を備えており、前記筐体に、前記収容位置に配置された前記マイクロバッテリが備える前記電力取得部を露出する開口部が設けられていると、好ましい。
【００３３】
この蓄電装置では、マイクロバッテリが備える電力取得部を蓄電装置で流用することで、筐体に電力取得部を別途形成する必要をなくすことができる。そのため、筐体の構成の簡素化を図ることができる。
【発明の効果】
【００３４】
上記特徴の蓄電装置及びマイクロバッテリによれば、接続するマイクロバッテリの数を増減させることで、蓄電装置に含まれるバッテリモジュールの数を容易に増減させることができる。したがって、蓄電装置の放電容量を容易に変更することができる。
【図面の簡単な説明】
【００３５】
【図１】本発明の第１実施形態に係る蓄電装置の構成の一例について示すブロック図。
【図２】図１に示したマイクロバッテリの構造の一例について模式的に示す斜視図。
【図３】図２のＡ―Ａ断面を示す断面図。
【図４】本発明の第２実施形態に係る蓄電装置の構成の一例について示すブロック図。
【図５】図４に示したマイクロバッテリの構造の一例について模式的に示す斜視図。
【図６】図５に示したマイクロバッテリを収容する筐体の構造の一例について模式的に示す斜視図。
【図７】図６に示した筐体に図５に示したマイクロバッテリを収容した状態を示す斜視図。
【図８】図７のＢ―Ｂ断面を示す断面図。
【図９】マイクロバッテリの第１の変形例の構造を模式的に示す斜視図。
【図１０】図９のＣ―Ｃ断面を示す断面図。
【図１１】マイクロバッテリの第２の変形例の構造を模式的に示す斜視図。
【図１２】マイクロバッテリの第３の変形例の構造を模式的に示す斜視図。
【発明を実施するための形態】
【００３６】
＜第１実施形態＞
本発明の第１実施形態に係る蓄電装置の構成の一例について、図面を参照して説明する。図１は、本発明の第１実施形態に係る蓄電装置の構成の一例について示すブロック図である。
【００３７】
図１に示すように、本発明の第１実施形態に係る蓄電装置１Ｘは、複数のマイクロバッテリ１０Ｘと、共通の電力線３０を備える。マイクロバッテリ１０Ｘは、この電力線３０を介して電気的に接続されることで、１つの蓄電装置１Ｘを構成する。なお、この電力線３０には、マイクロバッテリ１０Ｘの他に、交流電力を消費する負荷や、交流電力を供給する発電装置（例えば、発電により得られた直流電力を交流電力に変換して出力するインバータを備えた太陽電池）などの様々な機器が接続され得る。また、電力線３０は、リレーやコンバータ等を介して商用電力系統に対して連系接続し得る。
【００３８】
マイクロバッテリ１０Ｘは、バッテリモジュール１１と、マイクロインバータ１２（「電力変換器」に相当）と、充放電制御部１３と、部分電力線３１を備えている。なお、部分電力線３１は、電力線３０の一部であり、マイクロインバータ１２（特に、交流電力の入出力端子）と電気的に接続されている。また、バッテリモジュール１１も、マイクロインバータ１２（特に、直流電力の入出力端子）と電気的に接続されている。
【００３９】
バッテリモジュール１１は、直流電力を充電及び放電する少なくとも１つのバッテリセル（単電池）を接続して構成される。なお、図１では特に図示していないが、バッテリモジュール１１に付随して、バッテリモジュール１１の各種状態（例えば、バッテリモジュール１１の全体または個別のバッテリセルにおける、電圧値、電流値、温度、充電率（ＳＯＣ：State of charge）など）を監視して、バッテリモジュール１１が安全に動作するための制御（例えば、過充電及び過放電、異常な温度上昇を防止するための停止制御）を行うＢＭＳ（Battery Management System）が備えられ得る。
【００４０】
マイクロインバータ１２は、バッテリモジュール１１が放電する直流電力を交流電力に変換して電力線３０に出力するとともに、電力線３０から入力される交流電力を当該バッテリモジュール１１が充電する直流電力に変換する機器である。マイクロインバータ１２は、電力線３０の交流電力の状態を監視するとともに当該交流電力と同期して動作するための同期制御装置を備えている。そのため、図１に例示するように、電力線３０を介して複数のマイクロバッテリ１０Ｘを電気的に接続したとしても、交流電力の位相ズレを生じさせることなく、任意のマイクロバッテリ１０Ｘのバッテリモジュール１１を充電及び放電させることができる。
【００４１】
充放電制御部１３は、例えばＣＰＵ（Central Processing Unit）などの演算装置及び半導体メモリなどの記憶装置で構成され、例えばＢＭＳなどからバッテリモジュール１１の状態に関する各種情報を取得して、バッテリモジュール１１及びマイクロインバータ１２の動作の制御を行う。
【００４２】
複数のマイクロバッテリ１０Ｘのそれぞれが備える充放電制御部１３は、相互に独立して動作するように構成してもよいが、相互に通信（例えば、近距離無線通信）することで連系して動作するように構成してもよい。
【００４３】
充放電制御部１３が連系して動作する場合、１つの蓄電装置１Ｘを構成する複数のマイクロバッテリ１０Ｘのそれぞれにおいて、親機及び子機をそれぞれ決定してもよい。例えば、マイクロバッテリ１０Ｘに設けられた親機及び子機を切り替えるスイッチをユーザが操作するなどして手動で親機及び子機を決定してもよいし、所定のルールに基づいて自動的に親機及び子機を決定してもよい。例えば、このルールとして、マイクロバッテリ１０Ｘのシリアル番号が最も小さい、充放電制御部１３の通信開始時にランダムで生成した整理番号が最も小さいなどのマイクロバッテリ１０Ｘの特性とは無関係に決定されるルールや、マイクロバッテリ１０Ｘ（特に、バッテリモジュール１１）の推定寿命が最も長い、マイクロバッテリ１０Ｘの製造日が最も新しい、バッテリモジュール１１の放電容量が最も大きいなどのマイクロバッテリ１０Ｘの特性に基づいて決定されるルールなどが挙げられる。
【００４４】
例えば、親機のマイクロバッテリ１０Ｘが備える充放電制御部１３は、子機のマイクロバッテリ１０Ｘが備える充放電制御部１３と通信することで、子機のマイクロバッテリ１０Ｘが備えるバッテリモジュール１１の情報を取得する。次に、親機のマイクロバッテリ１０Ｘが備える充放電制御部１３は、パワーコンディショナなどの電力の需給を調整する装置から与えられる指示や、電力線３０における電力の需給状況や負荷の状態などに応じて、蓄電装置１Ｘの全体で充電または放電すべき電力量を算出するとともに、親機及び子機のマイクロバッテリ１０Ｘのそれぞれが充電または放電すべき電力量を算出する。そして、親機のマイクロバッテリ１０Ｘが備える充放電制御部１３は、親機及び子機のマイクロバッテリ１０Ｘのそれぞれが算出した通りの電力量を充電または放電するように、親機のマイクロバッテリ１０Ｘが備えるバッテリモジュール１１及びマイクロインバータ１２の動作の制御を行うとともに、子機のマイクロバッテリ１０Ｘが備える充放電制御部１３に対して充電または放電の指示を送信する。
【００４５】
充放電制御部１３が連系して動作する場合、同時に充電または放電を行うバッテリモジュール１１の数が少なくなるように（換言すると、同時に充電及び放電を行わないバッテリモジュール１１の数が多くなるように）すると、全てのマイクロバッテリ１０Ｘが備えるバッテリモジュール１１が少しずつ充電または放電する場合と比較して、バッテリモジュール１１が充電または放電する直流電力の変換効率を高めることができるため、好ましい。
【００４６】
次に、図１に示したマイクロバッテリ１０Ｘの構造の一例について、図面を参照して説明する。図２は、図１に示したマイクロバッテリの構造の一例について模式的に示す斜視図である。図３は、図２のＡ―Ａ断面を示す断面図である。なお、図３（ａ）は、１つのマイクロバッテリ１０Ｘの断面を示す断面図であり、図３（ｂ）は、連結された状態の２つのマイクロバッテリ１０Ｘの断面を示す断面図である。
【００４７】
図２及び図３に示すように、マイクロバッテリ１０Ｘは、バッテリモジュール１１を収容するバッテリ部１１０Ｘと、マイクロインバータ１２及び充放電制御部１３を収容するインバータ部１２０Ｘと、マイクロバッテリ１０Ｘを持ち運ぶ際にユーザが把持する把持部１４と、電力取得部１５と、第１接続部１６（「接続部」に相当）及び凸型保護部１６１と、第１被接続部１７（「被接続部」に相当）及び凹型保護部１７１を備える。なお、充放電制御部１３が、インバータ部１２０Ｘではなくバッテリ部１１０Ｘに収容されてもよい。また、ＢＭＳは、バッテリモジュール１１とともにバッテリ部１１０Ｘに収容され得る。
【００４８】
図２及び図３に示す例において、バッテリ部１１０Ｘ及びインバータ部１２０Ｘのそれぞれは直方体状であり、バッテリ部１１０Ｘの底面及びインバータ部１２０Ｘの上面が接続されて一体化することで全体でも直方体状になっている。把持部１４は、バッテリ部１１０Ｘの上面に設けられており、電力取得部１５は、インバータ部１２０Ｘの側面に設けられている。また、第１接続部１６及び凸型保護部１６１と、第１被接続部１７及び凹型保護部１７１は、電力取得部１５が設けられていないインバータ部１２０Ｘにおける平行な１組の側面のそれぞれに設けられている。
【００４９】
電力取得部１５は、電力線３０の電力またはマイクロインバータ１２が出力する電力を外部に取り出すために設けられており、部分電力線３１及びマイクロインバータ１２と電気的に接続されたコンセント（プラグ受け）などで構成されている。例えば、ユーザは、電力機器の電源プラグを電力取得部１５に挿入することで、当該電気機器で消費される電力を取得することができる。なお、図１及び図３（ｂ）に示すように、複数のマイクロバッテリ１０Ｘが接続して１つの蓄電装置１Ｘを構成している場合、電力取得部１５を介して、電力線３０の交流電力を取得することができる。一方、図２及び図３（ａ）に示すように、マイクロバッテリ１０Ｘが蓄電装置１Ｘを構成せず独立して存在している場合、電力取得部１５を介して、当該マイクロバッテリ１０Ｘが備えるバッテリモジュール１１が放電するとともにマイクロインバータ１２が変換して出力する交流電力を取得することができる。
【００５０】
第１接続部１６及び第１被接続部１７のそれぞれは、電極で構成されており、第１接続部１６が第１被接続部１７に対して接続自在となる構造になっている。具体的に、図２及び図３に示す例において、第１接続部１６を構成する１つの電極は、第１被接続部１７を構成する２つの電極に挟まれることで接触して、物理的及び電気的に接続された状態になる（図３（ｂ）参照）。
【００５１】
凸型保護部１６１及び凹型保護部１７１は、第１接続部１６及び第１被接続部１７を保護するとともに、第１接続部１６及び第１被接続部１７の接続を補助するガイドになっている。具体的に、図２及び図３に示す例において、凸型保護部１６１は、第１接続部１６の周囲に設けられた壁状であり、凹型保護部１７１は、第１被接続部１７を収容する凹状の空間を形成する壁面であって凸型保護部１６１の包絡面と嵌合する凹形状である。そして、凸型保護部１６１を凹型保護部１７１に挿入し、凸型保護部１６１の先端が凹型保護部１７１の底面に当接したときに、第１接続部１６及び第１被接続部１７が接続した状態となるように設計されている（図３（ｂ）参照）。
【００５２】
第１接続部１６及び第１被接続部１７のそれぞれは、部分電力線３１と電気的に接続されている。また、上述のように部分電力線３１は、マイクロインバータ１２と電気的に接続されている。そのため、図３（ｂ）に示すように、あるマイクロバッテリ１０Ｘが備える第１接続部１６を、他のマイクロバッテリ１０Ｘが備える第１被接続部１７に対して接続することで、これらのマイクロバッテリ１０Ｘが備える部分電力線３１が電気的に接続される。これにより、図１に示したように、電力線３０を介して複数のマイクロバッテリ１０Ｘが相互に電気的に接続された状態になる。
【００５３】
以上の通り、本発明の第１実施形態に係る蓄電装置１Ｘは、あるマイクロバッテリ１０Ｘが備える第１接続部１６を、他のマイクロバッテリ１０Ｘが備える第１被接続部１７に接続するのみで、共通の電力線３０を介して複数のマイクロバッテリ１０Ｘが電気的に接続された１つの蓄電装置１Ｘを得ることができる。そのため、接続するマイクロバッテリ１０Ｘの数を増減させることで、蓄電装置１Ｘに含まれるバッテリモジュール１１の数を容易に増減させることができる。したがって、蓄電装置１Ｘの放電容量を容易に変更することができる。
【００５４】
さらに、蓄電装置１Ｘでは、バッテリモジュール１１及びマイクロインバータ１２の両方を含むマイクロバッテリ１０Ｘの数を増減させることで、蓄電装置１Ｘの放電容量及びインバータ容量を共に増減させて両者が適合した状態を維持することができる。
【００５５】
また、この蓄電装置１Ｘは、例えば１つのバッテリモジュール１１が劣化や故障等で使用不能になったとしても、当該バッテリモジュール１１を備えるマイクロバッテリ１０Ｘを分離または交換するだけで、通常通りの動作が可能になる。したがって、蓄電装置１Ｘは、メンテナンスが容易であるとともに迅速に復旧させることが可能である。
【００５６】
なお、第１接続部（「接続部」に相当）及び第１被接続部（「被接続部」に相当）という文言は、両者が接続自在に対応していることを表現しているのみであり、両者の形状を特に示唆するものではない。例えば、上述の図２及び図３に示した例では、第１接続部１６がオス型、第１被接続部１７がメス型であるが、第１接続部がメス型、第１被接続部がオス型であってもよいし、オス型及びメス型の区別がない共通形状（例えば、半分がオス型で半分がメス型である形状）であってもよい。
【００５７】
また、図２に示す例では、電力取得部１５が形成される面と、第１接続部１６または第１被接続部１７が形成される面が異なっているが、同一の面にしてもよい。ただし、この場合、複数のマイクロバッテリ１０Ｘを連結して蓄電装置１Ｘを構成すると、１つの電力取得部１５のみが使用可能になる。
【００５８】
例えば、個々のバッテリモジュール１１の放電容量が十分に大きい場合など、蓄電装置１Ｘが同時に複数の電気機器に電力を供給可能である場合は、図２に示す例のように、電力取得部１５が形成される面と、第１接続部１６または第１被接続部１７が形成される面を異ならせてもよい。また例えば、個々のバッテリモジュール１１の放電容量が小さい場合など、蓄電装置１Ｘが同時に１つの電気機器にのみ電力を供給することを予定している場合は、上述のように、電力取得部１５が形成される面と、第１接続部１６または第１被接続部１７が形成される面を同一の面にしてもよい。
【００５９】
また、バッテリモジュール１１の放電容量が非常に大きい場合など、１つのマイクロバッテリ１０Ｘが同時に複数の電気機器に電力を供給可能である場合は、複数の電力取得部１５を備えてもよい。また、上述のような電力線３０の電力またはマイクロインバータ１２が出力する交流電力を外部に取り出す電力取得部１５に加えて（または代えて）、バッテリモジュール１１が放電する直流電力を外部に取り出す電力取得部を、マイクロバッテリ１０Ｘに設けてもよい。
【００６０】
また、上述のように、蓄電装置１Ｘが備える電力線３０に対して発電装置等の機器を接続したり、商用電力系統に対して連系接続したりする場合、第１接続部１６または第１被接続部１７あるいは電力取得部１５に対して、所定のアダプタを用いて発電装置等の機器や商用電力系統を接続してもよい。
【００６１】
また、蓄電装置１Ｘにおける設置の安定性向上（転倒等の防止）の観点から、マイクロバッテリ１０Ｘの重心位置は低い方が好ましい。例えば、蓄電装置１Ｘを構成するために設置したマイクロバッテリ１０Ｘの中央よりも下方となる位置に、マイクロバッテリ１０Ｘの重心位置が存在すると好ましい。
【００６２】
また、図１では、蓄電装置１Ｘを構成するマイクロバッテリ１０Ｘのそれぞれが充放電制御部１３を個別に備える構成について例示しているが、蓄電装置１Ｘが全てのマイクロバッテリ１０Ｘに共通する充放電制御部を備える構成であってもよい。この場合、例えば所定の制御線を介して充放電制御部がそれぞれのマイクロバッテリ１０Ｘにおけるバッテリモジュール１１及びマイクロインバータ１２の動作を制御してもよく、それぞれのマイクロバッテリ１０Ｘが部分電力線３１だけでなく部分制御線を備えていてもよい。
【００６３】
＜第２実施形態＞
次に、本発明の第２実施形態に係る蓄電装置について説明する。なお、本発明の第２実施形態に係る蓄電装置は、上述の第１実施形態で説明した蓄電装置１Ｘ（図１〜図３参照）と大部分が共通する。そこで、以下では、上述の第１実施形態に関する説明が、矛盾無き限り本発明の第２実施形態に係る蓄電装置にも妥当するものとして省略し、上述の第１実施形態とは異なる部分について詳細に説明する。
【００６４】
まず、本発明の第２実施形態に係る蓄電装置の構成の一例について、図面を参照して説明する。図４は、本発明の第２実施形態に係る蓄電装置の構成の一例について示すブロック図である。
【００６５】
図４に示すように、本発明の第２実施形態に係る蓄電装置１Ｙも、本発明の第１実施形態に係る蓄電装置１Ｘ（図１参照）と同様に、複数のマイクロバッテリ１０Ｙと、共通の電力線３０を備えている。
【００６６】
また、マイクロバッテリ１０Ｙは、バッテリモジュール１１と、マイクロインバータ１２（「電力変換器」に相当）と、充放電制御部１３を備えている。ただし、本発明の第２実施形態に係る蓄電装置１Ｙが備えるマイクロバッテリ１０Ｙは、本発明の第１実施形態に係る蓄電装置１Ｘが備えるマイクロバッテリ１０Ｘ（図１参照）とは異なり、部分電力線３１を備えていない。
【００６７】
本発明の第１実施形態に係る蓄電装置１Ｘは、部分電力線３１とともにマイクロバッテリ１０Ｘを次々に接続することで蓄電装置を構成及び変更するものであるが、本発明の第２実施形態に係る蓄電装置１Ｙは、電力線３０を備える基台に対して複数のマイクロバッテリ１０Ｙを次々に接続することで蓄電装置を構成及び変更するものである。
【００６８】
次に、図４に示したマイクロバッテリ１０Ｙの構造の一例と、電力線３０を備える基台の構造の一例について、図面を参照して説明する。なお、以下では、基台が、内部に複数のバッテリモジュール１０Ｙを収容する箱型の筐体である場合を例に挙げて説明する。図５は、図４に示したマイクロバッテリの構造の一例について模式的に示す斜視図である。図６は、図５に示したマイクロバッテリを収容する筐体の構造の一例について模式的に示す斜視図である。図７は、図６に示した筐体に図５に示したマイクロバッテリを収容した状態を示す斜視図である。図８は、図７のＢ―Ｂ断面を示す断面図である。
【００６９】
図５に示すように、マイクロバッテリ１０Ｙは、バッテリ部１１０Ｙと、インバータ部１２０Ｙと、把持部１４と、電力取得部１５と、ガイド溝１８と、第２接続部１９（「接続部」に相当）及び凹型保護部１９１を備える。
【００７０】
図５に示す例において、ガイド溝１８は、バッテリ部１１０Ｙの上面からインバータ部１２０Ｙの下面まで続く直線状の溝であり、バッテリ部１１０Ｙ及びインバータ部１２０Ｙにおける平行な１組の側面のそれぞれに設けられている。また、電力取得部１５は、ガイド溝１８が設けられているインバータ部１２０Ｙの側面の一方であって、ガイド溝１８を避けた位置に設けられている。また、第２接続部１９及び凹型保護部１９１は、インバータ部１２０Ｙの下面に設けられている。
【００７１】
また、図６に示すように、筐体５０は、電力線３０と、箱型であって内部に複数のマイクロバッテリ１０Ｙを収容可能な本体部５１と、マイクロバッテリ１０Ｙが備えるガイド溝１８に嵌合するガイド突起５２と、第２被接続部５３（「接続部」に相当）及び凸型保護部５３１と、本体部５１に設けられた開口である開口部５４を備える。
【００７２】
図６に示す例において、本体部５１は、上面が開口するとともに内部が中空である直方体状の箱型である。ガイド突起５２は、直線状の突起であり、本体部５１の対向する１組の側面のそれぞれにおいて平行となるように複数本設けられている。また、開口部５４は、ガイド突起５２が設けられている本体部５１の側面の一方であってガイド突起５２を避けた位置に設けられている。また、第２被接続部５３及び凸型保護部５３１は、本体部５１の底面において複数組設けられている。
【００７３】
図７及び図８に示すように、筐体５０の内部にマイクロバッテリ１０Ｙを収容する場合、マイクロバッテリ１０Ｙが備えるガイド溝１８を、筐体５０が備えるガイド突起５２に嵌合させた状態で、マイクロバッテリ１０Ｙを本体部５１の底面に向かってスライドさせる。これにより、筐体５０の内部の所定の位置である収容位置に、マイクロバッテリ１０Ｙが配置される。このとき、マイクロバッテリ１０Ｙが備える第２接続部１９が、筐体５０が備える第２被接続部５３に対して接続された状態になるように、ガイド溝１８、ガイド突起５２、第２接続部１９及び凹型保護部１９１、第２被接続部５３及び凸型保護部５３１が設計されている。さらにこのとき、筐体５０に設けられた開口部５４から、マイクロバッテリ１０Ｙが備える電力取得部１５が露出するように、開口部５４及び電力取得部１５が設計されている。
【００７４】
第２接続部１９及び第２被接続部５３のそれぞれは、電極で構成されており、第２接続部１９が第２被接続部５３に対して接続自在となる構造になっている。具体的に、図５〜図８に示す例において、第２被接続部５３を構成する１つの電極は、第２接続部１９を構成する２つの電極に挟まれることで接触して、物理的及び電気的に接続された状態になる（図８参照）。
【００７５】
凹型保護部１９１及び凸型保護部５３１は、第２接続部１９及び第２被接続部５３を保護するとともに、第２接続部１９及び第２被接続部５３の接続を補助するガイドになっている。具体的に、図５〜図８に示す例において、凸型保護部５３１は、第２被接続部５３の周囲に設けられた壁状であり、凹型保護部１９１は、第２接続部１９を収容する凹状の空間を形成する壁面であって凸型保護部５２１の包絡面と嵌合する形状である。そして、凸型保護部５３１を凹型保護部１９１に挿入し、凸型保護部５３１の先端が凹型保護部１９１の底面に当接したときに、第２接続部１９及び第２被接続部５３が接続した状態となるように設計されている（図８参照）。なお、上述のように蓄電装置１Ｙでは、ガイド溝１８及びガイド突起５２によってマイクロバッテリ１０Ｙが筐体５０の内部の収容位置まで導かれるため、それによって第２接続部１９及び第２被接続部５３の接続を補助することが可能である。この場合、凹型保護部１９１及び凸型保護部５３１が、第２接続部１９及び第２被接続部５３の接続を補助するガイドになっていなくてもよい。
【００７６】
第２接続部１９は、マイクロインバータ１２と電気的に接続されている。また、第２被接続部５３は、電力線３０と電気的に接続されている。そのため、図７及び図８に示すように、複数のマイクロバッテリ１０Ｙが備える第２接続部１９のそれぞれを、筐体５０が備える複数の第２被接続部５３のそれぞれに接続することで、複数のマイクロバッテリ１０Ｙが備えるマイクロインバータ１２のそれぞれと電力線３０が電気的に接続される。これにより、図４に示したように、電力線３０を介して複数のマイクロバッテリ１０Ｙが相互に電気的に接続された状態になる。
【００７７】
以上の通り、本発明の第２実施形態に係る蓄電装置１Ｙは、複数のマイクロバッテリ１０Ｙが備える第２接続部１９のそれぞれを、筐体５０が備える複数の第２被接続部５３のそれぞれに接続するのみで、共通の電力線３０を介して複数のマイクロバッテリ１０Ｙが電気的に接続された１つの蓄電装置１Ｙを得ることができる。そのため、上述した本発明の第１実施形態に係る蓄電装置１Ｘと同様に、接続するマイクロバッテリ１０Ｙの数を増減させることで、蓄電装置１Ｙに含まれるバッテリモジュール１１の数を容易に増減させることができる。したがって、蓄電装置１Ｙの放電容量を容易に変更することができる。
【００７８】
また、筐体５０の内部にマイクロバッテリ１０Ｙを収容することで、蓄電装置１Ｙからマイクロバッテリ１０Ｙが意図せず脱落することを抑制することができる。そのため、蓄電装置１Ｙの動作の安定性及び安全性を高めることが可能になる。
【００７９】
なお、第２接続部（「接続部」に相当）及び第２被接続部（「被接続部」に相当）という文言は、両者が接続自在に対応していることを表現しているのみであり、両者の形状を特に示唆するものではない。例えば、上述の図５〜図８に示した例では、第２接続部１９がメス型、第２被接続部５３がオス型であるが、第２接続部がオス型、第２被接続部がメス型であってもよいし、オス型及びメス型の区別がない共通形状（例えば、半分がオス型で半分がメス型である形状）であってもよい。
【００８０】
また、図５〜図８に示す例では、筐体５０の内部にマイクロバッテリ１０Ｙを収容した際に、マイクロバッテリ１０Ｙが備える電力取得部１５を、筐体５０に設けられた開口部５４から露出させることで使用可能にしているが、電力線３０と電気的に接続された１または複数の電力取得部を筐体５０の外周面に設けてもよい。ただし、図５〜図８に示す例のように、マイクロバッテリ１０Ｙが備える電力取得部１５を蓄電装置１Ｙで流用すれば、筐体５０に電力取得部１５を形成する必要がなくなるため、筐体５０の構成の簡素化を図ることができる。
【００８１】
また、蓄電装置１Ｙが備える電力線３０に対して発電装置等の機器を接続したり、商用電力系統に対して連系接続したりする場合、電力線３０または電力取得部１５に対して、所定のアダプタを用いて発電装置等の機器や商用電力系統を接続してもよい。
【００８２】
また、図４では、蓄電装置１Ｙを構成するマイクロバッテリ１０Ｙのそれぞれが充放電制御部１３を個別に備える構成について例示しているが、蓄電装置１Ｙが全てのマイクロバッテリ１０Ｙに共通する充放電制御部を備える構成であってもよい。この場合、例えば所定の制御線を介して充放電制御部がそれぞれのマイクロバッテリ１０Ｙにおけるバッテリモジュール１１及びマイクロインバータ１２の動作を制御してもよく、筐体５０が電力線３０だけでなく制御線を備えていてもよい。
【００８３】
＜変形等＞
［１］  上述した本発明の第１実施形態及び第２実施形態に係る蓄電装置１Ｘ，１Ｙを構成するマイクロバッテリ１０Ｘ，１０Ｙにおいて、バッテリモジュール１１がマイクロインバータ１２から着脱自在となるように構成してもよい。この変形例について、図面を参照して説明する。図９は、マイクロバッテリの第１の変形例の構造を模式的に示す斜視図である。図１０は、図９のＣ―Ｃ断面を示す断面図である。なお、図９及び図１０（ａ）は、バッテリモジュール１１及びマイクロインバータ１２を分離した状態を示しており、図１０（ｂ）は、バッテリモジュール１１及びマイクロインバータ１２を接続した状態を示している。また、図９及び図１０では、変形例に関する特徴以外を捨象したバッテリ部１１０ａ及びインバータ部１２０ａを図示している。
【００８４】
図９及び図１０に示すように、本変形例のマイクロバッテリ１０ａは、バッテリモジュール１１を収容するバッテリ部１１０ａが、マイクロインバータ１２を収容するインバータ部１２０ａから着脱自在になっている。また、バッテリ部１１０ａは、バッテリモジュール１１と一体になるように設けられてバッテリモジュール１１と電気的に接続されている第３接続部１１１と、凹型保護部１１１１と、第３接続部１１１を遮蔽する遮蔽部１１２を備える。また、インバータ部１２０ａは、マイクロインバータ１２と一体になるように設けられてマイクロインバータ１２と電気的に接続されている第３被接続部１２１と、凸型保護部１２１１を備える。
【００８５】
第３接続部１１１及び第３被接続部１２１のそれぞれは、電極で構成されており、第３接続部１１１が第３被接続部１２１に対して接続自在となる構造になっている。具体的に、図９及び図１０に示す例において、第３被接続部１２１を構成する１つの電極は、第３接続部１１１を構成する２つの電極に挟まれることで接触して、物理的及び電気的に接続された状態になる（図１０（ｂ）参照）。
【００８６】
凹型保護部１１１１及び凸型保護部１２１１は、第３接続部１１１及び第３被接続部１２１を保護するとともに、第３接続部１１１及び第３被接続部１２１の接続を補助するガイドになっている。具体的に、図９及び図１０に示す例において、凸型保護部１２１１は、第３被接続部１２１の周囲に設けられた壁状の部分と、当該壁上の部分が延長した土台で構成されている。また、凹型保護部１１１１は、第３接続部１２１を収容する凹状の空間を形成する壁面であって凸型保護部１２１１の包絡面と嵌合する形状である。そして、凸型保護部１２１１を凹型保護部１１１１に挿入し、凸型保護部１２１１の先端が凹型保護部１１１１の底面に当接したときに、第３接続部１１１及び第３被接続部１２１が接続した状態となるように設計されている（図１０（ｂ）参照）。
【００８７】
図９及び図１０（ａ）に示すように、バッテリ部１１０ａに設けられる遮蔽部１１２は、凹型保護部１１１１が形成する凹状の空間内に向かって開く両開き戸状であり、例えばバネ等の弾性体の復元力を利用して閉まるように設計されている。そのため、遮蔽部１１２は、凹型保護部１１１１に凸型保護部１２１１を挿入していない状態（バッテリモジュール１１及びマイクロインバータ１２を分離した状態）では、凹型保護部１１１１が形成する凹状の空間及び第３接続部１１１を遮蔽する。そして、図１０（ｂ）に示すように、凹型保護部１１１１に凸型保護部１２１１を挿入すると、凸型保護部１２１１によって遮蔽部１１２が押し開けられて、第３接続部１１１及び第３被接続部１２１が接続可能な状態になる。
【００８８】
このように、バッテリモジュール１１がマイクロインバータ１２から着脱自在になるように構成すると、電動二輪車などの直流電力を消費する電気機器に搭載されて利用されるバッテリモジュール１１を蓄電装置１Ｘ，１Ｙに利用することができるとともに、蓄電装置１Ｘ，１Ｙが備えるバッテリモジュール１１を当該電気機器に搭載して利用することができる。したがって、バッテリモジュール１１の利用率を向上させることができる。
【００８９】
さらに、このマイクロバッテリでは、バッテリモジュール１１と電気的に接続されているために直流電力の放電の可能性がある第３接続部１１１を、露出した状態にすることなく遮蔽部１１２によって遮蔽することができる。したがって、マイクロバッテリ１０ａの安全性を高めることができる。
【００９０】
なお、第３接続部及び第３被接続部という文言は、両者が接続自在に対応していることを表現しているのみであり、両者の形状を特に示唆するものではない。例えば、上述の図９及び図１０に示した例では、第３接続部１１１がメス型、第３被接続部１２１がオス型であるが、第３接続部がオス型、第３被接続部がメス型であってもよいし、オス型及びメス型の区別がない共通形状（例えば、半分がオス型で半分がメス型である形状）であってもよい。
【００９１】
［２］  上述した本発明の第１実施形態及び第２実施形態に係る蓄電装置１Ｘ，１Ｙを構成するマイクロバッテリ１０Ｘ，１０Ｙが、太陽電池などから成る光発電部を備えていてもよい。この変形例について、図面を参照して説明する。図１１は、マイクロバッテリの第２の変形例の構造を模式的に示す斜視図である。なお、図１１では、変形例に関する特徴以外を捨象したバッテリ部１１０ｂ及びインバータ部１２０ｂを図示している。
【００９２】
図１１に示すように、マイクロバッテリ１０ｂは、バッテリ部１１０ｂの平行な２つの側面に沿って設けられた光発電部２０を備えている。光発電部２０は、少なくとも１つの光発電素子を有し、当該光発電素子の発電によって得られた直流電力をバッテリモジュール１１に充電するものである。
【００９３】
このように、マイクロバッテリ１０ｂが光発電部２０を備えることで、屋外等の商用電力系統が存在しない場所であっても、バッテリモジュール１１を充電することが可能になる。
【００９４】
なお、図１１では、バッテリ部１１０ｂの２つの側面にのみ光発電部２０が設けられる場合について例示しているが、マイクロバッテリ１０ｂにおける任意の面に光発電部２０を設けることが可能である。例えば、バッテリ部１１０ｂの側面の全てに光発電部２０を設けてもよいし、インバータ部１２０ｂに光発電部２０を設けてもよい。
【００９５】
［３］  上述した本発明の第１実施形態及び第２実施形態に係る蓄電装置１Ｘ，１Ｙを構成するマイクロバッテリ１０Ｘ，１０Ｙが、バッテリモジュールに充電されている残容量を表示する表示部を備えていてもよい。この変形例について、図面を参照して説明する。図１２は、マイクロバッテリの第３の変形例の構造を模式的に示す斜視図である。なお、図１２では、変形例に関する特徴以外を捨象したバッテリ部１１０ｃ及びインバータ部１２０ｃを図示している。
【００９６】
図１２に示すように、マイクロバッテリ１０ｃは、バッテリ部１１０ｃの上面であって把持部１４が形成されていない位置に設けられた表示部２１を備えている。
【００９７】
このように、マイクロバッテリ１０ｃが表示部２１を備えることで、残容量が多いマイクロバッテリ１０ｃを選択して蓄電装置１Ｘ，１Ｙから離脱させて別の用途で使用したり、残容量が少ないマイクロバッテリ１０ｃを蓄電装置１Ｘ，１Ｙに組み入れて充電したりするなど、状況に応じた柔軟な使用が可能になる。
【００９８】
なお、マイクロバッテリ１０ｃが、表示部２１に代えて（または加えて）、携帯端末等の電子機器に対して残容量を送信する送信部を備えていてもよい。また、この送信部を、本発明の第２実施形態に係る蓄電装置１Ｙを構成する筐体５０が備えていてもよい。
【００９９】
また、図１２では、バッテリ部１１０ｃの上面に表示部２１が設けられる場合について例示しているが、マイクロバッテリ１０ｃにおける任意の面に表示部２１を設けることが可能である。ただし、図１２に例示するバッテリ部１１０ｃの上面など、蓄電装置１Ｘ，１Ｙを構成した場合であっても見やすい位置に表示部２１を設けると、好ましい。
【０１００】
［４］  上述した本発明の第１実施形態及び第２実施形態に係る蓄電装置１Ｘ，１Ｙを構成するマイクロバッテリ１０Ｘ，１０Ｙにおいて、バッテリ部１１０Ｘ，１１０Ｙが、市販のバッテリモジュールであってもよい。この場合、使用するバッテリモジュールの外形及び端子がある程度決まっていれば（特に、バッテリモジュールが規格化された結果、外形や端子が決まったものになっていれば）、当該バッテリモジュールの外形及び端子に適合したインバータ部１２０Ｘ，１２０Ｙを製造して、当該バッテリモジュールに組み合わせるだけで、容易にマイクロバッテリ１０Ｘ，１０Ｙを製造することができる。
【０１０１】
［５］  図２、図３、図５〜図１２の各図に示した構造は一実施例に過ぎないものであり、本発明は、これらの図面に記載された構造に限定されるものではなく、これらの図に記載の構造とは一部または全部が異なる別の構造を採用しても実現可能である。
【０１０２】
例えば、バッテリ部１１０Ｘ，１１０Ｙ，１１０ａ〜１１０ｃ及びインバータ部１２０Ｘ，１２０Ｙ，１２０ａ〜１２０ｃのそれぞれが直方体状であると説明したが、他の形状であってもよい。例えば、箱状のインバータ部の内部にバッテリ部が収容される構造にしてもよいし、箱状に至らない１または複数の板状のインバータ部がバッテリ部の１または複数の面に沿って取り付けられた構造にしてもよい。
【０１０３】
また例えば、第１接続部１６及び第１被接続部１７（図２及び図３参照）、第２接続部１９及び第２被接触部５３（図５〜図８参照）、第３接続部１１１及び第１被接続部１２１（図９及び図１０参照）のそれぞれを、物理的な接触を伴って電気的に接続する電極であると説明したが、これらの少なくとも１つを、物理的な接触を伴わずに電気的に接続し得るもの（例えば、電磁誘導を利用した非接触給電）としてもよい。
【０１０４】
［６］  上述の各実施形態及び各変形例では、マイクロバッテリ１０Ｘ，１０Ｙ，１０ａ〜１０ｃがマイクロインバータ１２を備えていると説明したが、マイクロバッテリ１０Ｘ，１０Ｙ，１０ａ〜１０ｃが、マイクロインバータ１２に代えてマイクロコンバータ（「電力変換器」に相当）を備えていてもよい。なお、マイクロバッテリ１０Ｘ，１０Ｙ，１０ａ〜１０ｃが電力線３０に対して直流電力を入出力する場合、当該電力線３０に、直流電力を消費する負荷や、直流電力を供給する発電装置（例えば、太陽電池）が接続されるようにしてもよい。また、当該電力線３０が、リレーやインバータ等を介して商用電力系統に対して連系接続し得るようにしてもよい。
【０１０５】
［７］  上述の各実施形態及び各変形例では、マイクロバッテリ１０Ｘ，１０Ｙ，１０ａ〜１０ｃが、マイクロインバータ１２を備えているとともに電力取得部１５が交流電力を出力するものとして説明したが、当該電力取得部１５に加えて（または代えて）、直流電力を出力する電力取得部を備えていてもよい。この場合、直流電力を出力する電力取得部が、バッテリモジュール１１が放電する直流電力またはマイクロインバータ１２が出力する直流電力をそのまま出力してもよいし、マイクロバッテリ１０Ｘ，１０Ｙ，１０ａ〜１０ｃが別途備えるコンバータによってバッテリモジュール１１が放電する直流電力またはマイクロインバータ１２が出力する直流電力を変換した直流電力を出力してもよい。
【０１０６】
なお、上記［６］の場合も同様であり、マイクロバッテリ１０Ｘ，１０Ｙ，１０ａ〜１０ｃが、直流電力を出力する電力取得部１５に加えて（または代えて）、交流電力を出力する電力取得部を備えていてもよい。この場合、交流電力を出力する電力取得部が、マイクロバッテリ１０Ｘ，１０Ｙ，１０ａ〜１０ｃが別途備えるインバータによってバッテリモジュール１１が放電する直流電力またはマイクロコンバータが出力する直流電力を変換した交流電力を出力してもよい。
【０１０７】
［８］  上述の各実施形態及び各変形例は、矛盾無き限り組み合わせて実施することが可能である。
【産業上の利用可能性】
【０１０８】
本発明は、直流電力を充電及び放電するバッテリモジュールを有するマイクロバッテリと、当該マイクロバッテリを備えた蓄電装置に利用することができる。
【符号の説明】
【０１０９】
１Ｘ，１Ｙ  ：  蓄電装置
１０Ｘ，１０Ｙ，１０ａ〜１０ｃ  ：  マイクロバッテリ
１１  ：  バッテリモジュール
１２  ：  マイクロインバータ（電力変換器）
１３  ：  充放電制御部
１１０Ｘ，１１０Ｙ，１１０ａ〜１１０ｃ  ：  バッテリ部
１２０Ｘ，１２０Ｙ，１２０ａ〜１２０ｃ  ：  インバータ部
１４  ：  把持部
１５  ：  電力取得部
１６  ：  第１接続部（接続部）
１６１  ：  凸型保護部
１７  ：  第１被接続部（被接続部）
１７１  ：  凹型保護部
１８  ：  ガイド溝
１９  ：  第２接続部（接続部）
１９１  ：  凹型保護部
２０  ：  光発電部
２１  ：  表示部
３０  ：  電力線
３１  ：  部分電力線
５０  ：  筐体（基台）
５１  ：  本体部
５２  ：  ガイド突起
５３  ：  第２被接続部
５３１  ：  凹型保護部
５４  ：  開口部
１１１  ：  第３接続部
１１１１  ：  凹型保護部
１１２  ：  遮蔽部
１２１  ：  第３被接続部
１２１１  ：  凸型保護部
【図１】
2017195666.tif 000003
【図２】
2017195666.tif 000004
【図３】
2017195666.tif 000005
【図４】
2017195666.tif 000006
【図５】
2017195666.tif 000007
【図６】
2017195666.tif 000008
【図７】
2017195666.tif 000009
【図８】
2017195666.tif 000010
【図９】
2017195666.tif 000011
【図１０】
2017195666.tif 000012
【図１１】
2017195666.tif 000013
【図１２】
2017195666.tif 000014